Podtech/llm-jp-corpus-v4-ja_patent huggingface dataset:
【手続補正書】
【提出日】平成18年6月26日(2006.6.26)
【手続補正１】
【補正対象書類名】明細書
【補正対象項目名】発明の名称
【補正方法】変更
【補正の内容】
【発明の名称】弾球遊技機
【手続補正２】
【補正対象書類名】明細書
【補正対象項目名】特許請求の範囲
【補正方法】変更
【補正の内容】
【特許請求の範囲】
【請求項１】  本体枠に配設される遊技盤と、本体枠に配設されて上方の遊技盤に遊技球を球射出用溝を介して射出する遊技球発射装置と、球射出用溝の両側にそれぞれ形成されて遊技盤の遊技域に到達せずにファール球として落下した遊技球を回収する回収口と、遊技球発射装置から射出された遊技球を遊技盤の遊技域に向けてガイドするとともに、入賞しなかった遊技球を遊技域下方のアウト口に向けてガイドする導電性のガイドレールと、このガイドレールに隣接して配設される飾り部材とを備え、遊技盤の裏面に電源装置を配設し、ガイドレールを導電路を介してアース接続し、導電路を飾り部材に配設するとともに、電源装置のアース端子に導通接続した弾球遊技機であって、
ガイドレールを、射出された遊技球を遊技盤の遊技域に向けてガイドする第１のレールと、この第１のレールとは別体に形成され、入賞しなかった遊技球を遊技域下方のアウト口に向けてガイドする第２のレールとから形成し、第１のレールのガイド終端部とこのガイド終端部に対向する第２のレールの一端部との間に飾り部材を配置し、この飾り部材には、第１のレールの一部に弾接する第１の弾接端子と、第２のレールの一部に弾接する第２の弾接端子とを配設したことを特徴とする弾球遊技機。
【請求項２】  射出された遊技球の衝突が予想される飾り部材の一部に、球緩衝部材を配設した請求項１記載の弾球遊技機。
【手続補正３】
【補正対象書類名】明細書
【補正対象項目名】０００６
【補正方法】変更
【補正の内容】
【０００６】
そこで本発明は、射出された個々の遊技球を簡単かつ確実に除電することができるようにして誤動作等の発生を防止でき、好ましくは遊技盤の美観を損なうことのない弾球遊技機の提供を目的としている。
【手続補正４】
【補正対象書類名】明細書
【補正対象項目名】０００７
【補正方法】変更
【補正の内容】
【０００７】
【課題を解決するための手段】
本発明においては上記課題を達成するため、本体枠に配設される遊技盤と、本体枠に配設されて上方の遊技盤に遊技球を球射出用溝を介して射出する遊技球発射装置と、球射出用溝の両側にそれぞれ形成されて遊技盤の遊技域に到達せずにファール球として落下した遊技球を回収する回収口と、遊技球発射装置から射出された遊技球を遊技盤の遊技域に向けてガイドするとともに、入賞しなかった遊技球を遊技域下方のアウト口に向けてガイドする導電性のガイドレールと、このガイドレールに隣接して配設される飾り部材とを備え、遊技盤の裏面に電源装置を配設し、ガイドレールを導電路を介してアース接続し、導電路を飾り部材に配設するとともに、電源装置のアース端子に導通接続したものであって、
ガイドレールを、射出された遊技球を遊技盤の遊技域に向けてガイドする第１のレールと、この第１のレールとは別体に形成され、入賞しなかった遊技球を遊技域下方のアウト口に向けてガイドする第２のレールとから形成し、第１のレールのガイド終端部とこのガイド終端部に対向する第２のレールの一端部との間に飾り部材を配置し、この飾り部材には、第１のレールの一部に弾接する第１の弾接端子と、第２のレールの一部に弾接する第２の弾接端子とを配設したことを特徴としている。
【手続補正５】
【補正対象書類名】明細書
【補正対象項目名】０００９
【補正方法】変更
【補正の内容】
【０００９】
なお、射出された遊技球の衝突が予想される飾り部材の一部に、球緩衝部材を配設することができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００６３
【補正方法】変更
【補正の内容】
【００６３】
【発明の効果】
以上のように本発明によれば、遊技球の除電を確実に行うことができるとともに、除電のための導電路を飾り部材に配線しているので、飾り部材を取り付けることで簡単、かつ確実にアース接続することができるという効果がある。また、導電路が飾り部材内や当該飾り部材のガイドレールとの隣接部に配設され、又は飾り部材の裏側に配設されているときには、その導電路が表側に露出することがないので、美観を損なうことがない。
また、導電路を、遊技盤の裏面に配設した電源装置のアース端子に導通接続するので、容易な配線が期待できる。さらに、飾り部材に、第１のレールの一部に弾接する第１の弾接端子と、第２のレールの一部に弾接する第２の弾接端子とを配設しているので、飾り部材を遊技盤に組み付けるだけで、第１、第２のレールをアース接続することができるという効果がある。
【手続補正１２】
【補正対象書類名】明細書
【補正対象項目名】００６４
【補正方法】変更
【補正の内容】
【００６４】
また、発射された遊技球が衝突することが想定される飾り部材の一部に、球緩衝部材を配設しているので、衝突した遊技球による衝撃を球緩衝部材によって緩衝させることができ、飾り部材を破損させることがない。
【手続補正１３】
【補正対象書類名】明細書
【補正対象項目名】００６５
【補正方法】削除
【補正の内容】
【手続補正１４】
【補正対象書類名】明細書
【補正対象項目名】００６６
【補正方法】削除
【補正の内容】
【手続補正１５】
【補正対象書類名】明細書
【補正対象項目名】００６７
【補正方法】削除
【補正の内容】
【手続補正１６】
【補正対象書類名】明細書
【補正対象項目名】００６８
【補正方法】削除
【補正の内容】
【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  所定の遊技を実施可能な遊技機であって、
遊技状態の制御を行うメインＣＰＵと、
停電時においても記憶データが保持される記憶領域を有し、前記メインＣＰＵのワークメモリとして使用されるメインメモリと、
演出の制御を行うサブＣＰＵと、
停電時においても記憶データが保持される記憶領域を有し、前記サブＣＰＵのワークメモリとして使用されるサブメモリと、
所定の電源断条件が成立した場合に、電源断の発生を判別する電源断判別手段と、
を備え、
前記メインＣＰＵは、
該メインＣＰＵが制御する遊技状態に応じてその時点のメインＣＰＵの制御状態を特定可能な制御情報を、前記サブＣＰＵに対して送信する制御情報送信処理と、
前記電源断判別手段が電源断の発生を判別した場合に、遊技状態を復帰させるためのバックアップデータを前記メインメモリに保存するメインバックアップ処理と、
電源投入時に、前記メインメモリに保存されているバックアップデータに基づいて電源断前の遊技状態に復帰させる遊技状態復帰処理と、
を行い、
前記サブＣＰＵは、
前記メインＣＰＵから送信された制御情報を受信したときに、該受信した制御情報により特定される前記メインＣＰＵの制御状態に応じた演出を実行する演出実行処理と、
前記メインＣＰＵから送信された制御情報を受信する毎に、演出状態を復帰させるためのバックアップデータを前記サブメモリに保存するサブバックアップ処理と、
電源投入時に、前記サブメモリに保存されているバックアップデータに基づいて電源断前の演出状態に復帰させる演出状態復帰処理と、
を行い、
前記サブＣＰＵを駆動させるための駆動電圧を、少なくとも前記メインＣＰＵが行うメインバックアップ処理が完了するまで、前記サブＣＰＵが動作可能となるように保持する保持手段を更に備えることを特徴とする遊技機。
【手続補正２】
【補正対象書類名】明細書
【補正対象項目名】０００７
【補正方法】変更
【補正の内容】
【０００７】
【課題を解決するための手段】
上記課題を解決するために、本発明の遊技機は、
所定の遊技を実施可能な遊技機であって、
遊技状態の制御を行うメインＣＰＵと、
停電時においても記憶データが保持される記憶領域を有し、前記メインＣＰＵのワークメモリとして使用されるメインメモリと、
演出の制御を行うサブＣＰＵと、
停電時においても記憶データが保持される記憶領域を有し、前記サブＣＰＵのワークメモリとして使用されるサブメモリと、
所定の電源断条件が成立した場合に、電源断の発生を判別する電源断判別手段と、
を備え、
前記メインＣＰＵは、
該メインＣＰＵが制御する遊技状態に応じてその時点のメインＣＰＵの制御状態を特定可能な制御情報を、前記サブＣＰＵに対して送信する制御情報送信処理と、
前記電源断判別手段が電源断の発生を判別した場合に、遊技状態を復帰させるためのバックアップデータを前記メインメモリに保存するメインバックアップ処理と、
電源投入時に、前記メインメモリに保存されているバックアップデータに基づいて電源断前の遊技状態に復帰させる遊技状態復帰処理と、
を行い、
前記サブＣＰＵは、
前記メインＣＰＵから送信された制御情報を受信したときに、該受信した制御情報により特定される前記メインＣＰＵの制御状態に応じた演出を実行する演出実行処理と、
前記メインＣＰＵから送信された制御情報を受信する毎に、演出状態を復帰させるためのバックアップデータを前記サブメモリに保存するサブバックアップ処理と、
電源投入時に、前記サブメモリに保存されているバックアップデータに基づいて電源断前の演出状態に復帰させる演出状態復帰処理と、
を行い、
前記サブＣＰＵを駆動させるための駆動電圧を、少なくとも前記メインＣＰＵが行うメインバックアップ処理が完了するまで、前記サブＣＰＵが動作可能となるように保持する保持手段を更に備えることを特徴としている。
この特徴によれば、演出を実行する契機となる制御情報の受信毎にサブバックアップ処理が行われるため、演出状態のバックアップをより確実に行うことができる。また、メインＣＰＵがバックアップ処理を完了するまではサブＣＰＵが動作可能に付勢されるため、電源断直前にメインＣＰＵから送信された制御情報をサブＣＰＵにて確実に受信することができるようになり、メインＣＰＵにてバックアップされる遊技状態をサブＣＰＵにてバックアップされる演出状態に反映させることができる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】０２６７
【補正方法】変更
【補正の内容】
【０２６７】
請求項１項の発明によれば、演出を実行する契機となる制御情報の受信毎にサブバックアップ処理が行われるため、演出状態のバックアップをより確実に行うことができる。また、メインＣＰＵがバックアップ処理を完了するまではサブＣＰＵが動作可能に付勢されるため、電源断直前にメインＣＰＵから送信された制御情報をサブＣＰＵにて確実に受信することができるようになり、メインＣＰＵにてバックアップされる遊技状態をサブＣＰＵにてバックアップされる演出状態に反映させることができる。
【手続補正９】
【補正対象書類名】明細書
【補正対象項目名】０２６８
【補正方法】削除
【補正の内容】
【手続補正１０】
【補正対象書類名】明細書
【補正対象項目名】０２６９
【補正方法】削除
【補正の内容】
【手続補正１１】
【補正対象書類名】明細書
【補正対象項目名】０２７０
【補正方法】削除
【補正の内容】
【手続補正１２】
【補正対象書類名】明細書
【補正対象項目名】０２７１
【補正方法】削除
【補正の内容】
【手続補正１３】
【補正対象書類名】明細書
【補正対象項目名】０２７２
【補正方法】削除
【補正の内容】
【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  所定の遊技を実施可能な遊技機であって、
遊技状態の制御を行うメインＣＰＵと、
停電時においても記憶データが保持される記憶領域を有し、前記メインＣＰＵのワークメモリとして使用されるメインメモリと、
演出の制御を行うサブＣＰＵと、
停電時においても記憶データが保持される記憶領域を有し、前記サブＣＰＵのワークメモリとして使用されるサブメモリと、
前記遊技機が用いる所定の電源電圧が所定の値に降下した場合に電源断の発生を判別する電源断判別手段と、
を備え、
前記メインＣＰＵは、
該メインＣＰＵが制御する遊技状態に応じてその時点のメインＣＰＵの制御状態を特定可能な制御情報を、前記サブＣＰＵに対して送信する制御情報送信処理と、
前記電源断判別手段が電源断の発生を判別した場合に、遊技状態を復帰させるためのバックアップデータを前記メインメモリに保存するメインバックアップ処理と、
電源投入時に、前記メインメモリに保存されているバックアップデータに基づいて電源断前の遊技状態に復帰させる遊技状態復帰処理と、
を行い、
前記サブＣＰＵは、
前記メインＣＰＵから送信された制御情報を受信したときに、該受信した制御情報により特定される前記メインＣＰＵの制御状態に応じた演出を実行する演出実行処理と、
前記メインＣＰＵから送信された制御情報を受信する毎に、演出状態を復帰させるためのバックアップデータを前記サブメモリに保存するサブバックアップ処理と、
電源投入時に、前記サブメモリに保存されているバックアップデータに基づいて電源断前の演出状態に復帰させる演出状態復帰処理と、
を行い、
前記電源断判別手段が電源断の発生を判別する前記所定の値の電圧は、前記サブＣＰＵの動作が可能な電圧よりも高い値に設定されている、
ことを特徴とする遊技機。
【手続補正２】
【補正対象書類名】明細書
【補正対象項目名】０００７
【補正方法】変更
【補正の内容】
【０００７】
【課題を解決するための手段】
上記課題を解決するために、本発明の遊技機は、所定の遊技を実施可能な遊技機であって、
遊技状態の制御を行うメインＣＰＵと、
停電時においても記憶データが保持される記憶領域を有し、前記メインＣＰＵのワークメモリとして使用されるメインメモリと、
演出の制御を行うサブＣＰＵと、
停電時においても記憶データが保持される記憶領域を有し、前記サブＣＰＵのワークメモリとして使用されるサブメモリと、
前記遊技機が用いる所定の電源電圧が所定の値に降下した場合に電源断の発生を判別する電源断判別手段と、
を備え、
前記メインＣＰＵは、
該メインＣＰＵが制御する遊技状態に応じてその時点のメインＣＰＵの制御状態を特定可能な制御情報を、前記サブＣＰＵに対して送信する制御情報送信処理と、
前記電源断判別手段が電源断の発生を判別した場合に、遊技状態を復帰させるためのバックアップデータを前記メインメモリに保存するメインバックアップ処理と、
電源投入時に、前記メインメモリに保存されているバックアップデータに基づいて電源断前の遊技状態に復帰させる遊技状態復帰処理と、
を行い、
前記サブＣＰＵは、
前記メインＣＰＵから送信された制御情報を受信したときに、該受信した制御情報により特定される前記メインＣＰＵの制御状態に応じた演出を実行する演出実行処理と、
前記メインＣＰＵから送信された制御情報を受信する毎に、演出状態を復帰させるためのバックアップデータを前記サブメモリに保存するサブバックアップ処理と、
電源投入時に、前記サブメモリに保存されているバックアップデータに基づいて電源断前の演出状態に復帰させる演出状態復帰処理と、
を行い、
前記電源断判別手段が電源断の発生を判別する前記所定の値の電圧は、前記サブＣＰＵの動作が可能な電圧よりも高い値に設定されている、
ことを特徴としている。
この特徴によれば、演出を実行する契機となる制御情報の受信毎にサブバックアップ処理が行われるため、演出状態のバックアップをより確実に行うことができる。また、メインＣＰＵが動作を停止してからもサブＣＰＵはしばらく動作可能であり、電源断直前にメインＣＰＵから送信された制御情報をサブＣＰＵにて確実に受信することができるようになるため、メインＣＰＵにてバックアップされる遊技状態をサブＣＰＵにてバックアップされる演出状態に反映させることができる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】０２７０
【補正方法】変更
【補正の内容】
【０２７０】
請求項１項の発明によれば、演出を実行する契機となる制御情報の受信毎にサブバックアップ処理が行われるため、演出状態のバックアップをより確実に行うことができる。また、メインＣＰＵが動作を停止してからもサブＣＰＵはしばらく動作可能であり、電源断直前にメインＣＰＵから送信された制御情報をサブＣＰＵにて確実に受信することができるようになるため、メインＣＰＵにてバックアップされる遊技状態をサブＣＰＵにてバックアップされる演出状態に反映させることができる。
【手続補正９】
【補正対象書類名】明細書
【補正対象項目名】０２７１
【補正方法】削除
【補正の内容】
【手続補正１０】
【補正対象書類名】明細書
【補正対象項目名】０２７２
【補正方法】削除
【補正の内容】
【手続補正１１】
【補正対象書類名】明細書
【補正対象項目名】０２７３
【補正方法】削除
【補正の内容】
【手続補正１２】
【補正対象書類名】明細書
【補正対象項目名】０２７４
【補正方法】削除
【補正の内容】
【手続補正１３】
【補正対象書類名】明細書
【補正対象項目名】０２７５
【補正方法】削除
【補正の内容】
【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】  本体枠と、この本体枠の内部空間に着脱自在に固定される遊技盤とを有し、本体枠を略矩形函状に形成してその背面の略中央部から上部にかけて孔を設けた弾球遊技機であって、
本体枠の一側方の縁辺部に設けられて本体枠の背面との間に遊技盤を挟むための隙間を形成し、本体枠の一側方の縁辺部における遊技盤縁辺部設置箇所に遊技盤の縁辺部を案内する案内部と、本体枠の一側方の縁辺部に設けられ、案内部に遊技盤の一方の面を本体枠の背面側から弾性力により押圧する弾性部材と、本体枠の他側方の縁辺部に設けられ、本体枠に対して遊技盤を位置決め固定する係止部材とを含み、案内部と弾性部材とを本体枠の上下方向にずらして位置させたことを特徴とする弾球遊技機。
【請求項２】  本体枠の他側方の縁辺部に、遊技盤の一方の面の一部に当接する突設部を設けて本体枠の内側空間に向け、この突設部に係止部材を設けた請求項１記載の弾球遊技機。
【請求項３】  本体枠の一側方の縁辺部における上下に、ガラス扉を回動自在に設けた請求項１又は２記載の弾球遊技機。
【手続補正２】
【補正対象書類名】明細書
【補正対象項目名】０００６
【補正方法】変更
【補正の内容】
【０００６】
【課題を解決するための手段】
本発明においては上記課題を達成するため、本体枠と、この本体枠の内部空間に着脱自在に固定される遊技盤とを有し、本体枠を略矩形函状に形成してその背面の略中央部から上部にかけて孔を設けたものであって、
本体枠の一側方の縁辺部に設けられて本体枠の背面との間に遊技盤を挟むための隙間を形成し、本体枠の一側方の縁辺部における遊技盤縁辺部設置箇所に遊技盤の縁辺部を案内する案内部と、本体枠の一側方の縁辺部に設けられ、案内部に遊技盤の一方の面を本体枠の背面側から弾性力により押圧する弾性部材と、本体枠の他側方の縁辺部に設けられ、本体枠に対して遊技盤を位置決め固定する係止部材とを含み、案内部と弾性部材とを本体枠の上下方向にずらして位置させたことを特徴としている。
【手続補正３】
【補正対象書類名】明細書
【補正対象項目名】０００７
【補正方法】変更
【補正の内容】
【０００７】
本発明によれば、本体枠の縁辺部に設けられた案内部で遊技盤の縁辺部が本体枠の縁辺部の遊技盤縁辺部設置個所へ案内され、案内部の設けられた個所以外の本体縁辺部に設けられた係止部材によって遊技盤が本体枠に対して位置決め固定されるように係止される。これによって、本体枠の内側空間に遊技盤を取り付ける作業、および本体枠の内側空間から遊技盤を取り外す作業をドライバ等の専用工具を使うことなく、迅速かつ容易にすることができる。また、本体枠の縁辺部に設けられた弾性部材の弾性力により、遊技盤の一方の面が案内部に押圧される。これにより、遊技盤と案内部とのがたつきがなくなり、遊技盤の本体枠に対する遊技盤の面に垂直な方向の位置精度をさらに向上させることができる。
【手続補正４】
【補正対象書類名】明細書
【補正対象項目名】０００８
【補正方法】変更
【補正の内容】
【０００８】
なお、本体枠の他側方の縁辺部に、遊技盤の一方の面の一部に当接する突設部を設けて本体枠の内側空間に向け、この突設部に係止部材を設けることが好ましい。
【手続補正５】
【補正対象書類名】明細書
【補正対象項目名】０００９
【補正方法】変更
【補正の内容】
【０００９】
本発明によれば、遊技盤の一方の面の一部が本体枠の縁辺部から内側空間に向けて突設されている突設部と当接して遊技盤の面に垂直な方向の位置決めがされ、突設部に設けられた係止部材によって遊技盤の面に平行な方向の位置決めがされて係止される。これによって、突設部でのみ遊技盤の面に垂直な方向の位置決めがされるため、本体枠の縁辺部と遊技盤との接触面積を少なくすることができ、かつ突設部で遊技盤が係止されるため、遊技盤に変形を生じさせることがなく、結果として遊技盤の本体枠に対する遊技盤の面に垂直な方向の位置精度を向上させることができる。
【手続補正６】
【補正対象書類名】明細書
【補正対象項目名】００１０
【補正方法】変更
【補正の内容】
【００１０】
また、本体枠の一側方の縁辺部における上下に、ガラス扉を回動自在に設けることが好ましい。
【手続補正７】
【補正対象書類名】明細書
【補正対象項目名】００１１
【補正方法】変更
【補正の内容】
【００１１】
本発明によれば、本体枠からガラス扉を開き、ガラス扉の回動支点側に設けられている案内部に本体枠縁辺部の遊技盤縁辺部設置個所へ遊技盤縁辺部を案内し、案内部の設けられた個所以外の本体縁辺部に設けられている係止部材によって遊技盤が本体枠に対して位置決め固定されるように係止される。これによって、係止部材によって遊技盤を係止する作業をガラス扉によって妨げられることなくすることができる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００３５
【補正方法】変更
【補正の内容】
【００３５】
【発明の効果】
以上のように本発明によれば、本体枠の縁辺部に設けられた案内部で遊技盤縁辺部が本体枠縁辺部の遊技盤縁辺部設置個所に案内され、案内部の設けられた個所以外の本体縁辺部に設けられた係止部材によって遊技盤が本体枠に対して位置決めされるように係止される。これによって、本体枠の内側空間に遊技盤を取り付ける作業、および本体枠から遊技盤を取り外す作業をドライバ等の専用工具を使うことなく、迅速かつ容易にすることができるという効果がある。
また、本体枠の縁辺部に設けられた弾性部材の弾性力により、遊技盤の一方の面が案内部に押圧される。これによって、遊技盤と案内部とのがたつきがなくなり、遊技盤の本体枠に対する遊技盤の面に垂直な方向の位置精度をさらに向上させることができる効果がある。
【手続補正１１】
【補正対象書類名】明細書
【補正対象項目名】００３８
【補正方法】削除
【補正の内容】
【手続補正書】
【提出日】平成18年4月6日(2006.4.6)
【手続補正１】
【補正対象書類名】明細書
【補正対象項目名】請求項６
【補正方法】変更
【補正の内容】
【請求項６】  前記バックレスト構造体（３）は複数の側柱（１１）を有し、少なくとも１つの側柱の底部（１２）が前記接続ロッド（２１）に枢動式に接続されることを特徴とする請求項２〜５のいずれか１項に記載の座席。
【手続補正２】
【補正対象書類名】明細書
【補正対象項目名】請求項１６
【補正方法】変更
【補正の内容】
【請求項１６】  前記制御手段は、前記支持構造体（５）に対する前記バックレスト構造体（３）の傾斜を制御する少なくとも１つの第１アクチュエーター（２５）、及び前記座面構造体（２）の傾斜を制御する少なくとも１つの第２アクチュエーター（２６）と協働するとともに、前記座席（１）の位置を調節するためにユーザーによって作動可能な手段（４２）とも協働する電子制御装置（４１）を有することを特徴とする、請求項１５に記載の座席。
【手続補正書】
【提出日】平成18年3月2日(2006.3.2)
【手続補正１】
【補正対象書類名】明細書
【補正対象項目名】特許請求の範囲
【補正方法】変更
【補正の内容】
【特許請求の範囲】
【請求項１】  先端と基端とを有するシースと、
前記シースの先端側に設けられた拡張可能なバルーンとを備え、このバルーンは第1の拡張部と、第２の拡張部と、第１の拡張部と第２の拡張部との間に設けられた第３の拡張部とを有し、これらの第１，第２拡張部は第３の拡張部よりも大きく拡張し、更に、
前記第１，第２および第３の拡張部の少なくとも一つの位置を識別するために、前記バルーンとシースとの少なくとも一方に設けられたマーカを備えることを特徴とするバルーンダイレータ。
【請求項２】  前記マーカは、前記バルーンが拡張していないときに、前記第１，第２および第３の拡張部の少なくとも一つの位置を識別可能とする、請求項１に記載のバルーンダイレータ。
【請求項３】  前記マーカは、前記バルーンの表面に設けられている請求項１に記載のバルーンダイレータ。
【請求項４】  前記バルーンは、透明もしくは半透明の材料で形成され、前記マーカは、前記シースの表面に設けられている請求項１に記載のバルーンダイレータ。
【請求項５】  前記シースは、先端から基端まで連通するルーメンを形成されている請求項１に記載のバルーンダイレータ。
【請求項６】  前記マーカはＸ線マーカである請求項１に記載のバルーンダイレータ。
【請求項７】  前記シースの先端に、高周波メスが設けられる請求項１に記載のバルーンダイレータ。
【請求項８】  前記高周波メスは針状の形状を有する請求項７に記載のバルーンダイレータ。
【請求項９】  前記高周波メスは、シースの先端に対して着脱可能であり、前記シースはガイドワイヤを挿通可能である請求項７に記載のバルーンダイレータ。
【請求項１０】  前記ルーメンに、高周波メスもしくはガイドワイヤが挿通可能である請求項５に記載のバルーンダイレータ。
【手続補正２】
【補正対象書類名】明細書
【補正対象項目名】００１８
【補正方法】変更
【補正の内容】
【００１８】
【課題を解決するための手段】
上記目的を達成するため、本発明によると、先端と基端とを有するシースと、前記シースの先端側に設けられた拡張可能なバルーンとを備え、このバルーンは第1の拡張部と、第２の拡張部と、第１の拡張部と第２の拡張部との間に設けられた第３の拡張部とを有し、これらの第１，第２拡張部は第３の拡張部よりも大きく拡張し、更に、前記第１，第２および第３の拡張部の少なくとも一つの位置を識別するために、前記バルーンとシースとの少なくとも一方に設けられたマーカを備えるバルーンダイレータが提供される。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正書】
【提出日】平成18年2月14日(2006.2.14)
【手続補正１】
【補正対象書類名】明細書
【補正対象項目名】特許請求の範囲
【補正方法】変更
【補正の内容】
【特許請求の範囲】
【請求項１】  ２つのエンドリング（１１）および複数のアンテナロッド（１０）を備え、エンドリング（１１）がアンテナ軸線（１２）に対して同心的にかつ軸線方向に互いに向かい合ってずらされて配置され、アンテナロッド（１０）がアンテナ軸線（１２）の周りに配置されエンドリング（１１）を互いに結合し、結合要素（１３）により、送信時に高周波の電磁エネルギーがエンドリング（１１）およびアンテナロッド（１０）に入射し、受信時にそのエンドリング（１１）およびアンテナロッド（１０）から出射し、
結合要素（１３）が、アンテナ軸線（１２）をアンテナロッド（１０）の領域で接線方向に取り囲む導体システム（１３）として形成され、送信時にこの導体システム（１３）へ給電モジュール（１４）から高周波電流が入力され、受信時にこの導体システム（１３）から高周波電流が出力され、この導体システム（１３）がエンドリング（１１）およびアンテナロッド（１０）に誘導結合され、
導体システム（１３）がアンテナ軸線（１２）の周りを周回する少なくとも１つの導体（１５，１７，１９，２１）を有し、この導体（１５）がエンドリング（１１）の１つから、接線角（α）により変化する距離（ａ）を有することを特徴とする磁気共鳴装置用の高周波アンテナ。
【請求項２】  アンテナロッド（１０）がアンテナ軸線（１２）に対して平行に延びていることを特徴とする請求項１記載の高周波アンテナ。
【請求項３】  導体システム（１３）が２つの導体（１７）を備えた基本導体群を有し、２つの導体（１７）がアンテナ軸線（１２）の周りを周回し、交差接線角（α）で交差し、その間に導体（１７）が偶数のウインドウ（１８）を形成するような相互距離（ｂ）を有し、送信時には位相が１８０°電気的にずれた電流が導体（１７）に入力されないしは受信時には位相が１８０°電気的にずれた電流が導体（１７）から出力されることを特徴とする請求項１又は２記載の高周波アンテナ。
【請求項４】  導体システム（１３）が補助導体群を有し、補助導体群が基本導体群と同様に形成され、そのウインドウ（２０）が基本導体群のウインドウに対して交互に設置され、送信時には位相が１８０°電気的にずれた電流が補助導体群の導体（１９）に入力されないしは受信時には位相が１８０°電気的にずれた電流がその導体（１９）から出力され、補助導体群の導体（１９）に流れる電流の位相が基本導体群の導体（１７）に流れる電流の位相に対して９０°電気的にずれていることを特徴とする請求項３記載の高周波アンテナ。
【請求項５】  導体システム（１３）が複数の導体（２１）を有し、これらの導体（２１）がずれ角（β）で周期的にアンテナ軸線（１２）の周りを周回し、ずれ角（β）と導体（２１）の数および導体（２１）の周期の数との積が３６０°となり、送信時には位相が位相角だけ電気的にずれた電流が導体（２１）に入力されないしは受信時には位相が位相角だけ電気的にずれた電流が導体（２１）から出力され、位相角と導体（２１）の数との積が電気的に３６０°となることを特徴とする請求項１又は２記載の高周波アンテナ。
【請求項６】  導体（２１）の数が少なくとも３個であることを特徴とする請求項５記載の高周波アンテナ。
【請求項７】  導体（１７，１９，２１）がアンテナ軸線（１２）の周りを周回する周回端部で互いに短絡されていることを特徴とする請求項３乃至６の１つに記載の高周波アンテナ。
【請求項８】  １つの導体（１５）ないしは複数の導体（１７，１９，２１）がアンテナ軸線（１２）をエンドリング（１１）間の中央で垂直に切断している中央面（１６）に対して対称的に配置されていることを特徴とする請求項１乃至７の１つに記載の高周波アンテナ。
【請求項９】  １つの導体（１５）ないしは複数の導体（１７，１９，２１）に短絡コンデンサ（Ｃ´）が配置されていることを特徴とする請求項１乃至８の１つに記載の高周波アンテナ。
【請求項１０】  １つの距離（ａ，ｂ）ないしは複数の距離（ａ）がほぼ正弦状に接線角（α）に依存することを特徴とする請求項１乃至９の１つに記載の高周波アンテナ。
【請求項１１】  １つの距離（ａ，ｂ）ないしは複数の距離（ａ）が最大値（Ｍ）および最小値（ｍ）をとり、最大値（Ｍ）と最小値（ｍ）との差がエンドリング（１１）のずれ（Ｖ）の少なくとも３０％であることを特徴とする請求項１乃至１０の１つに記載の高周波アンテナ。
【手続補正２】
【補正対象書類名】明細書
【補正対象項目名】０００１
【補正方法】変更
【補正の内容】
【０００１】
【発明の属する技術分野】
本発明は、２つのエンドリングおよび複数のアンテナロッドを備え、２つのエンドリングがアンテナ軸線に対して同心的にかつ軸線方向に互いに向かい合ってずらされて配置され、アンテナロッドがアンテナ軸線の周りに配置されエンドリングを互いに結合し、結合要素により、送信時に高周波の電磁エネルギーがエンドリングおよびアンテナロッドに入射し、受信時にそのエンドリングおよびアンテナロッドから出射する磁気共鳴装置用の高周波アンテナに関する。
【手続補正３】
【補正対象書類名】明細書
【補正対象項目名】０００７
【補正方法】変更
【補正の内容】
【０００７】
【課題を解決するための手段】
この課題は、結合要素が、アンテナ軸線をアンテナロッドの領域で接線方向に取り囲む導体システムとして形成され、送信時にこの導体システムへ給電モジュールから高周波電流が入力され、受信時にこの導体システムから高周波電流が出力され、この導体システムがエンドリングおよびアンテナロッドに専ら誘導結合され、導体システムがアンテナ軸線の周りを周回する少なくとも１つの導体を有し、この導体がエンドリングの１つから、接線角により変化する距離を有することにより解決される。
【手続補正４】
【補正対象書類名】明細書
【補正対象項目名】００１２
【補正方法】変更
【補正の内容】
【００１２】
最後に記載された実施態様により、励起された１つのモードないしは複数のモードは直線偏波を有する。しかし、磁気共鳴装置への適用には、円偏波を有するモードが望ましい。これを達成するために、導体システムが補助導体群を有し、補助導体群が基本導体群と同様に形成され、そのウインドウが基本導体群のウインドウに対して交互に設置され、送信時に位相が１８０°電気的にずれた電流が補助導体群の導体に入力されないしは受信時に位相が１８０°電気的にずれた電流がその導体から出力され、補助導体群の導体に流れる電流の位相が、基本導体群の導体に流れる電流の位相に対して９０°電気的にずれている。
【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】  画像生成の測定から得られた第１のコントラスト範囲を含む画像データが第２のコントラスト範囲を含む画像データへ変換され、第２のコントラスト範囲により媒体上へ描出される医用画像生成における画像描出方法において、画像生成の測定からの画像データにより得られた画像および／または測定に関する追加情報から、コントラスト範囲を変換するためのパラメーターが前もって確定された異なる画像クラスの予め定められた群から自動的に１つの画像クラスが決定され、その画像クラスに割り当てられたパラメーターを用いて変換が実施されることを特徴とする医用画像生成における画像描出方法。
【請求項２】  変換がウィンドウによって行われ、割り当てられたパラメーターが第１のコントラスト範囲に対応するグレースケール内のセンターおよび幅を表すことを特徴とする請求項１に記載の方法。
【請求項３】  非線形適応による変換が変換表（ＬＵＴ：ルックアップテーブル）を使用して行われ、割り当てられたパラメーターが変換表を表すことを特徴とする請求項１に記載の方法。
【請求項４】  変換において、第１のコントラスト範囲の異なるグレースケール領域に変換表により異なる色が割り当てられ、その色を用いて画像データが媒体上に描出されることを特徴とする請求項３に記載の方法。
【請求項５】  異なる画像クラスの群および異なる画像クラスに割り当てられるパラメーターが訓練された専門家によって前もって確定されることを特徴とする請求項１乃至４の１つに記載の方法。
【請求項６】  異なる画像クラスの群および異なる画像クラスに割り当てられたパラメーターが自学システムによって確定されるおよび／または適応させられることを特徴とする請求項１乃至４の１つに記載の方法。
【請求項７】  異なる画像クラスに割り当てられたパラメーターがオペレーターによって変更可能であることを特徴とする請求項１乃至６の１つに記載の方法。
【請求項８】  異なる画像クラスの予め定められた群からの画像クラスの決定が、記憶装置内にファイルされ異なる特徴が異なる画像クラスに割り当てられている表により、追加情報に含まれている特徴を比較することによって行われることを特徴とする請求項１乃至７の１つに記載の方法。
【手続補正２】
【補正対象書類名】明細書
【補正対象項目名】００１２
【補正方法】変更
【補正の内容】
【００１２】
画像を生成する測定から得られる第１のコントラスト範囲を含む画像データが第２のコントラスト範囲を含む画像データに変換され、第２のコントラスト範囲を用いて媒体上に描出される医用画像生成における画像描出するための方法において、本発明によれば、画像を生成する測定からの画像データにより得られる画像および／または測定に関する追加情報から、コントラスト範囲を変換するためのパラメーターが前もって確定された異なる画像クラスの予め定められた群から自動的に１つの画像クラスが決定され、その画像クラスに割り当てられるパラメーターにより変換が行われる。
【手続補正３】
【補正対象書類名】明細書
【補正対象項目名】００１４
【補正方法】変更
【補正の内容】
【００１４】
本発明の方法では、さらに画像生成の測定からの画像データにより、少なくともその測定方法、例えば使用される測定シーケンス並びに画像タイプを提示する追加情報が得られることが利用される。画像および／または測定に関するこれらの追加情報は、本発明の方法では、画像データを異なる画像クラスの予め定められた群から１つの画像クラスに分類するために利用される。異なる画像クラス各々については、この画像クラスの画像データのコントラスト範囲を変換するためのパラメーターが前もって確定された。この確定はまさに画像生成の測定の再現性に基づいて可能である。変換は、最終的には各画像クラスに対して前もって確定されたパラメーターを用いて実施されるが、これらのパラメーターは各画像クラスに対して最適に確定することができる。
【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】  デジタルカメラによって画像を処理するためのシステムであって、
前記カメラを用いて画像を取り込み、最初に取り込まれた画像を作成するステップと、
前記最初に取り込まれた画像を第１の形式で保存するステップと、
第１のセットのパラメータに従って、前記最初に取り込まれた画像を処理し、第１の処理された画像を第２の形式で生成するステップと、
前記カメラのユーザによって入力された第２のセットのパラメータに従って前記最初に取り込まれた画像を編集し、第２の処理された画像を前記第２の形式で生成するステップと、
を含むシステム。
【請求項２】  前記第２の形式は、前記第１の形式に対して圧縮される請求項１に記載のシステム。
【請求項３】  非線形マッピングが、対応する前記パラメータのセットに従って、前記カメラ内の前記最初に取り込まれた画像に対して実行される請求項１に記載のシステム。
【手続補正書】
【提出日】平成18年3月8日(2006.3.8)
【手続補正１】
【補正対象書類名】明細書
【補正対象項目名】０００３
【補正方法】変更
【補正の内容】
【０００３】
回転機械の技術において、静止部品と回転部品との間の接触、例えば蒸気タービンにおけるブラシシールとロータとの間の接触が、一般的に、ブラシシールのロータに対する摩擦により生じる摩擦力により発生する熱のためにロータの一時的な変形をもたらすことが知られている。このような変形の結果として、ロータの加熱とブラシシールにより生じる直接の力とが、一般的にロータを不均衡にさせ、従って、ロータに「ウォッブリング」作用を生じさせる。このウォッブリング作用は、回転機械における振動を増大させ、それによって静止部品と回転部品との間に形成される間隙を拡大させる。場合によっては、変形は、一般的にロータの摩損を生じ、結果としてロータ及びブラシシールに対して費用のかかる修理をすることになる。それ故に、ロータのウォッブリング作用又は摩損のいずれかによって生じた間隙を通してのガス又は蒸気の漏洩が増大するために、回転機械の効率が低下する。
【特許文献１】米国特許第６１６８３７７号
【手続補正書】
【提出日】平成18年6月27日(2006.6.27)
【手続補正１】
【補正対象書類名】明細書
【補正対象項目名】００１８
【補正方法】変更
【補正の内容】
【００１８】
一方、第１、第２パワーローラ１６，１８は、図２に示すように、パワーローラ収納部４８を凹設したトラニオン５０に支持されている。各パワーローラ１６，１８は、入出力ディスク８，１０，１２，１４のトロイド面に摩擦接触する内輪５２と、内輪５２を回転可能に支持する外輪５４と、内輪５２と外輪５４との間に介装された玉軸受５６とを備えている。トラニオン５０は、各パワーローラ１６，１８を入出力ディスク８，１０，１２，１４の回転軸方向に沿って平行移動可能に支持している。ここで、外輪５４は、トラニオン５０に固着されている。
【手続補正２】
【補正対象書類名】明細書
【補正対象項目名】００２２
【補正方法】変更
【補正の内容】
【００２２】
また、トラニオン５０は、各パワーローラ１６，１８を入出力ディスク８，１０，１２，１４の回転軸方向に沿って平行移動可能に支持していることから、パワーローラ１６，18を支持するピポッド軸が不要であり、パワーローラ１６，１８は相対移動がなくなるので、軸受を取り除くことができる。また、外輪５４は、トラニオン５０に固着されていることからトラニオン５０の剛性が上がる。これにより、トラニオン５０の耐久性を向上させることができるとともに、複雑な加工が不要となって製造コストの低減化を図ることができ、トラニオンの小型化も図ることができる。
【手続補正３】
【補正対象書類名】図面
【補正対象項目名】図１
【補正方法】変更
【補正の内容】
【図１】
2002372113.tif 000001
【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】圧電体層と、該圧電体層の第１の表面に接合された第１の電極と、前記圧電体層の前記第１の表面と反対側の第２の表面に接合された第２の電極とを有しており、前記圧電体層の第１の表面は高さのＲＭＳ変動が２．０ｎｍ以下であることを特徴とする薄膜音響共振器。
【請求項２】圧電体層と、該圧電体層の第１の表面に接合された第１の電極と、前記圧電体層の前記第１の表面と反対側の第２の表面に接合された第２の電極とを有しており、前記第１の電極の前記圧電体層の側の表面は高さのＲＭＳ変動が２．０ｎｍ以下であることを特徴とする薄膜音響共振器。
【請求項３】前記圧電体層の前記第２の表面は高さのＲＭＳ変動が前記圧電体層の厚さの０．５０％以下であることを特徴とする、請求項１〜２のいずれかに記載の薄膜音響共振器。
【請求項４】前記第２の電極は中央部と該中央部より厚い外周部とを有することを特徴とする、請求項１〜３のいずれかに記載の薄膜音響共振器。
【請求項５】前記第２の電極の中央部の表面のうねり高さは前記圧電体層の厚さの５．０％以下であることを特徴とする、請求項４に記載の薄膜音響共振器。
【請求項６】前記外周部は前記中央部の周囲に枠状に位置することを特徴とする、請求項４〜５のいずれかに記載の薄膜音響共振器。
【請求項７】前記第２の電極は前記中央部の厚さ変動が該中央部の厚さの２％以下であることを特徴とする、請求項４〜６のいずれかに記載の薄膜音響共振器。
【請求項８】前記外周部の厚さは前記中央部の高さの１．１倍以上であることを特徴とする、請求項４〜７のいずれかに記載の薄膜音響共振器。
【請求項９】前記外周部は前記第２の電極の外縁から４０μｍまでの距離の範囲内に位置することを特徴とする、請求項４〜８のいずれかに記載の薄膜音響共振器。
【請求項１０】前記圧電体層と前記第１の電極と前記第２の電極とからなる挟み込み構造体は、基板の表面に形成された窪みをまたぐように前記基板により縁部が支持されていることを特徴とする、請求項１〜９のいずれかに記載の薄膜音響共振器。
【請求項１１】前記基板の表面上には、前記窪みをまたぐように形成された絶縁体層が配置されており、該絶縁体層上に前記挟み込み構造体が形成されていることを特徴とする、請求項１０に記載の薄膜音響共振器。
【請求項１２】基板の表面に形成された前記窪みの深さが３〜３０μｍであることを特徴とする、請求項１０〜１１のいずれかに記載の薄膜音響共振器。
【請求項１３】前記第１の電極がモリブデン（Ｍｏ）からなることを特徴とする、請求項１〜１２のいずれかに記載の薄膜音響共振器。
【請求項１４】前記第２の電極がモリブデン（Ｍｏ）からなることを特徴とする、請求項１〜１３のいずれかに記載の薄膜音響共振器。
【請求項１５】圧電体層と、該圧電体層の第１の表面に接合された第１の電極と、前記圧電体層の前記第１の表面と反対側の第２の表面に接合された第２の電極とを有する薄膜音響共振器を製造する方法であって、
基板の表面に窪みを形成し、該窪み内に犠牲層を充填し、該犠牲層の表面を高さのＲＭＳ変動が１．０ｎｍ以下となるように研磨し、前記犠牲層の表面の一部の領域と前記基板の表面の一部の領域とにわたってそれらの上に前記第１の電極を形成し、該第１の電極上に前記圧電体層を形成し、該圧電体層上に前記第２の電極を形成し、前記窪み内から前記犠牲層をエッチング除去することを特徴とする、薄膜音響共振器の製造方法。
【請求項１６】前記窪み内から前記犠牲層をエッチング除去することにより深さ３〜３０μｍの空洞を形成することを特徴とする、請求項１５に記載の薄膜音響共振器の製造方法。
【請求項１７】前記第１の電極を厚さ１５０ｎｍ以下に形成し、該第１の電極の上面を高さのＲＭＳ変動が２．０ｎｍ以下となるようにすることを特徴とする、請求項１５〜１６のいずれかに記載の薄膜音響共振器の製造方法。
【請求項１８】前記犠牲層の上に前記第１の電極を形成するに先立って絶縁体層を形成することを特徴とする、請求項１５〜１７のいずれかに記載の薄膜音響共振器の製造方法。
【手続補正書】
【提出日】平成18年10月17日(2006.10.17)
【手続補正１】
【補正対象書類名】明細書
【補正対象項目名】特許請求の範囲
【補正方法】変更
【補正の内容】
【特許請求の範囲】
【請求項１】
車載用及び携行用として使用される位置表示装置であって、
携行用途から車載用途への変更があった場合に、表示手段に表示される移動体の位置を、前回の車載用途時に位置情報記憶手段に最終的に記憶された最終位置情報を用いて算出する位置算出手段を備える位置表示装置。
【請求項２】
前記位置算出手段は、前記変更があった時点で得られる車両識別情報と前回の車載用途時に識別情報記憶手段に記憶された車両識別情報とが一致することを条件として、前記最終位置情報を用いて前記移動体の位置を算出することを特徴とする請求項１に記載の位置表示装置。
【請求項３】
前記位置情報記憶手段を備え、
前記位置情報記憶手段には、前記最終位置情報を記憶するための領域と新たに得られた最新位置情報を記憶するための領域とが別々に設けられていることを特徴とする請求項１又は請求項２に記載の位置表示装置。
【請求項４】
車載用及び携行用として使用される位置表示装置に用いられるプログラムであって、
コンピュータに、
携行用途から車載用途への変更があった場合に、表示手段に表示される移動体の位置を、前回の車載用途時に位置情報記憶手段に最終的に記憶された最終位置情報を用いて算出する処理を実行させるためのプログラム。
【請求項５】
コンピュータに、さらに、
前記変更があった時点で得られる車両識別情報と前回の車載用途時に識別情報記憶手段に記憶された車両識別情報とが一致することを条件として、前記最終位置情報を用いて前記移動体の位置を算出する処理を実行させることを特徴とする請求項４に記載のプログラム。
【請求項６】
コンピュータに、さらに、車載用途時に、新たに得られた最新位置情報を前記位置情報記憶手段に設けられ前記最終位置情報を記憶するための領域に記憶する処理を、電源がオフされるまで繰り返し実行させることを特徴とする請求項４又は請求項５に記載のプログラム。
【手続補正書】
【提出日】平成18年9月4日(2006.9.4)
【手続補正１】
【補正対象書類名】明細書
【補正対象項目名】請求項８
【補正方法】変更
【補正の内容】
【請求項８】   前記支持部は、前記ねじりばねが前記位置決め部材を前記離間位置に向かって付勢する方向に沿って、前記ねじりばねの中央部を移動自在とすることを特徴とする請求項７記載の記録媒体再生装置。
【手続補正２】
【補正対象書類名】明細書
【補正対象項目名】０００９
【補正方法】変更
【補正の内容】
【０００９】
位置決め部材は、前記一対の第２挟持部材間に設けられかつ前記一方の第２挟持部材に接離自在に設けられている。位置決め部材は、前記一方の第２挟持部材から離れると前記ＣＤと接触して該ＣＤを位置決めする。位置決め部材は、一方の第２挟持部材に近づくと前記ＣＤから離れる。位置決め部材は、前記一方の第２挟持部材から離れる方向に付勢されている。また、位置決め部材は、クランプ再生ユニットがＣＤをクランプすると、アーム部材などによって一方の第２挟持部材に向かって押される。
【手続補正３】
【補正対象書類名】明細書
【補正対象項目名】００２４
【補正方法】変更
【補正の内容】
【００２４】
請求項８に記載の本発明の記録媒体再生装置は、請求項７に記載の記録媒体再生装置において、前記支持部は、前記ねじりばねが前記位置決め部材を前記離間位置に向かって付勢する方向に沿って、前記ねじりばねの中央部を移動自在とすることを特徴としている。
【手続補正４】
【補正対象書類名】明細書
【補正対象項目名】００８５
【補正方法】変更
【補正の内容】
【００８５】
位置決め位置（第１位置）では、小径ＣＤ位置決め部６７に、記録媒体挿入口１２を通して挿入された小径ＣＤ２ｂが接触可能である。位置決め位置（第２位置）では、大径ＣＤ位置決め部６８に、記録媒体挿入口１２を通して挿入された大径ＣＤ２ａが接触可能である。離間位置では、双方の位置決め部６７，６８からＣＤ２ｂ，２ａが離れる。なお、離間位置は本明細書に記した第１の位置をなしており、位置決め位置は本明細書に記した第２の位置をなしている。
【手続補正５】
【補正対象書類名】明細書
【補正対象項目名】００９１
【補正方法】変更
【補正の内容】
【００９１】
ＣＤ検出部材６２は、他端部６２ｂが位置決め部材６１の部材本体６６に係合している。このため、ＣＤ検出部材６２の他端部６２ｂがアーム本体４９から離れると、位置決め部材６１の部材本体６６はアーム本体４９から離れる。ＣＤ検出部材６２の他端部６２ｂがアーム本体４９に近づくと、位置決め部材６１の部材本体６６はアーム本体４９に近づく。
【手続補正６】
【補正対象書類名】明細書
【補正対象項目名】０１８７
【補正方法】変更
【補正の内容】
【０１８７】
（付記１）互いに外径の異なる大径ディスク形記録媒体と小径ディスク形記録媒体とを機器本体の再生位置に位置させて、これらのディスク形記録媒体に記録された情報を読み出す記録媒体再生装置において、
前記機器本体内に収容された前記ディスク形記録媒体をクランプして該ディスク形記録媒体に記録された情報を読み出すことが可能なクランプ再生手段を備え、
前記クランプ再生手段は、前記ディスク形記録媒体をクランプする一対の挟持部材と、前記一対の挟持部材の間に配され、前記ディスク形記録媒体を前記再生位置に位置決めする位置決め部材と、を有し、
前記位置決め部材が、前記小径ディスク形記録媒体を前記再生位置に位置決めする第１位置と、前記大径ディスク形記録媒体を前記再生位置に位置決めする第２位置と、に亘って移動自在に設けられているとともに、
大径ディスク形記録媒体が前記再生位置に位置される際には該大径ディスク形記録媒体により押されて前記位置決め部材を第２位置に変位させ、小径ディスク形記録媒体が前記再生位置に位置される際には前記小径ディスク形記録媒体に押されることなく前記位置決め部材を前記第１位置に保つように、一端部が前記一対の挟持部材のうちの一方の挟持部材に回転自在に支持されかつ他端部が前記位置決め部材に係合されている記録媒体検出手段を備えたことを特徴とする記録媒体再生装置。